(57)【要約】【課題】窓部を閉じた状態で、換気を行なうことができ、その換気の際、入り込む冷気を加温することで、冷気による不快感を防止することができ、また、美的効果や防犯効果が得られる窓組立体を提供すること。【解決手段】窓組立体１は、窓組立体本体２と、複数の照明装置３とを備えている。窓組立体本体２は、住宅の開口部２１０に設置されている取付枠５と、取付枠５に対して回動可能に設置されている窓部４とを備えており、窓部４が閉じた状態で、窓部４と取付枠５との間には、隙間８が形成されている。また、隙間８の近傍には、複数の照明装置３のＬＥＤユニット９０がそれぞれ設置されている。各照明装置３は、それぞれ、ＬＥＤユニット９０を駆動して、各ＬＥＤ光源が発する光により照明を行なうとともに、各ＬＥＤ光源が発する熱により、隙間８を介して流通する空気を加温する。【選択図】図１
2008014078.tif 000002
【特許請求の範囲】
【請求項１】
建築物の開口部に設置される窓部と、照明装置とを備える窓組立体であって、
前記窓組立体は、前記窓部が閉じた状態で、前記窓部で隔てられる一方の空間と他方の空間とを連通させる通気可能な隙間を有し、前記隙間を介して換気を行なえるよう構成されており、
前記照明装置は、前記窓組立体の前記隙間の近傍に設置され、発光するとともに発熱する少なくとも１つのＬＥＤ光源を有するＬＥＤユニットを備え、前記ＬＥＤユニットを駆動して、前記ＬＥＤ光源が発する光により照明を行なうとともに、前記ＬＥＤ光源が発する熱により、前記隙間を介して流通する空気を加温するよう構成されていることを特徴とする窓組立体。
【請求項２】
前記ＬＥＤ光源の光は、前記隙間を介して視認される請求項１に記載の窓組立体。
【請求項３】
前記ＬＥＤユニットは、前記窓組立体の前記隙間に臨む縁部に設置されている請求項１または２に記載の窓組立体。
【請求項４】
前記ＬＥＤユニットは、前記ＬＥＤ光源を複数有し、該複数のＬＥＤ光源が前記窓組立体の前記隙間に臨む縁部に沿って連設されている請求項１または２に記載の窓組立体。
【請求項５】
前記隙間は、前記窓部の縁部に沿って設けられている請求項１ないし４のいずれかに記載の窓組立体。
【請求項６】
前記窓組立体は、前記開口部に設置され、前記窓部を支持する取付枠を有する請求項１ないし５のいずれかに記載の窓組立体。
【請求項７】
前記窓組立体は、前記開口部に設置され、前記窓部を開閉自在に支持する取付枠を有する請求項１ないし５のいずれかに記載の窓組立体。
【請求項８】
前記照明装置は、少なくとも前記窓部が閉じているときに、前記ＬＥＤユニットを駆動するよう構成されている請求項７に記載の窓組立体。
【請求項９】
前記照明装置は、前記窓部が開いているときは、前記ＬＥＤユニットを駆動しないよう構成されている請求項７または８に記載の窓組立体。
【請求項１０】
前記ＬＥＤユニットは、前記窓部が閉じているか否かを示す機能を有する請求項７ないし９のいずれかに記載の窓組立体。
【請求項１１】
前記隙間は、前記窓部に設けられている請求項１ないし１０のいずれかに記載の窓組立体。
【請求項１２】
前記窓組立体は、前記窓部を複数有し、
前記隙間は、隣り合う前記窓部の間に設けられている請求項１ないし１０のいずれかに記載の窓組立体。
【請求項１３】
前記隙間は、前記窓部と前記取付枠との間に設けられている請求項６ないし１０のいずれかに記載の窓組立体。
【請求項１４】
前記隙間は、前記取付枠に設けられている請求項６ないし１０のいずれかに記載の窓組立体。
【請求項１５】
前記ＬＥＤユニットは、前記窓部と、前記取付枠との少なくとも一方に設置されている請求項１３に記載の窓組立体。
【請求項１６】
前記隙間で構成された換気用流路には、前記ＬＥＤ光源が発する熱を蓄熱する蓄熱部が設けられており、
前記ＬＥＤ光源が発する熱が、前記蓄熱部に蓄熱され、前記蓄熱部から放熱されるよう構成されている請求項１ないし１５のいずれかに記載の窓組立体。
【請求項１７】
前記隙間で構成された換気用流路を延長する流路延長手段を有し、前記ＬＥＤ光源が発する熱により前記延長された換気用流路内の空気が加温されるよう構成されている請求項１ないし１６のいずれかに記載の窓組立体。
【請求項１８】
前記流路延長手段は、前記隙間から所定距離離間し、該隙間の少なくとも一部を覆うカバーを有し、
前記カバーと前記窓組立体との間に、前記延長された換気用流路の少なくとも一部が形成されている請求項１７に記載の窓組立体。
【請求項１９】
さらに、前記流路延長手段に前記ＬＥＤユニットが設置されている請求項１７または１８に記載の窓組立体。
【請求項２０】
前記流路延長手段は、前記ＬＥＤ光源が発する熱を蓄熱する蓄熱部を兼ねており、
前記ＬＥＤ光源が発する熱が、前記蓄熱部に蓄熱され、前記蓄熱部から放熱されるよう構成されている請求項１７ないし１９のいずれかに記載の窓組立体。
【請求項２１】
前記窓部は、前記建築物の内側と外側とを隔てるものである請求項１ないし２０のいずれかに記載の窓組立体。
【請求項２２】
前記窓部にソーラーパネルが設けられており、該ソーラーパネルを介して得られた電力が前記ＬＥＤユニットに供給されるよう構成されている請求項２１に記載の窓組立体。
【請求項２３】
前記ＬＥＤユニットは、前記照明装置が作動中か否かを示すパイロットランプとしての機能を有する請求項１ないし２２のいずれかに記載の窓組立体。
【請求項２４】
前記照明装置は、前記ＬＥＤユニットに対して印加する電圧の大小により、加温の程度を設定し得るよう構成されている請求項１ないし２３のいずれかに記載の窓組立体。
【発明の詳細な説明】
【技術分野】
【０００１】
本発明は、窓組立体に関するものである。
【背景技術】
【０００２】
住宅（建築物）には、窓組立体が設置されている（例えば、特許文献１参照）。この窓組立体は、住宅の開口部に設置された取付枠と、取付枠に開閉自在に支持された窓部とを有している。
しかしながら、この従来の窓組立体は、その窓としての機能しか有していない。
【０００３】
また、この窓組立体では、窓部を開くと、換気を行なうことができるが、例えば、冬季や夜間等、気温の低いときに窓部を開いて換気を行なうと、外部の冷たい空気（冷気）が室内に入り込むので、それにより室内が冷えてしまうという問題がある。また、室内全体の温度を暖房器具等によって調整しても、住人は、その冷気により、「スースー」したり、「ヒヤッ」とする寒さ（不快感）を感じてしまう。
【０００４】
【特許文献１】特開２００５−２７７５号公報
【発明の開示】
【発明が解決しようとする課題】
【０００５】
本発明の目的は、窓部を閉じた状態で、換気を行なうことができ、その換気の際、入り込む冷気を加温することで、冷気による不快感を防止することができ、また、美的効果や防犯効果が得られる窓組立体を提供することにある。
【課題を解決するための手段】
【０００６】
このような目的は、下記（１）〜（２４）の本発明により達成される。
（１）  建築物の開口部に設置される窓部と、照明装置とを備える窓組立体であって、
前記窓組立体は、前記窓部が閉じた状態で、前記窓部で隔てられる一方の空間と他方の空間とを連通させる通気可能な隙間を有し、前記隙間を介して換気を行なえるよう構成されており、
前記照明装置は、前記窓組立体の前記隙間の近傍に設置され、発光するとともに発熱する少なくとも１つのＬＥＤ光源を有するＬＥＤユニットを備え、前記ＬＥＤユニットを駆動して、前記ＬＥＤ光源が発する光により照明を行なうとともに、前記ＬＥＤ光源が発する熱により、前記隙間を介して流通する空気を加温するよう構成されていることを特徴とする窓組立体。
【０００７】
（２）  前記ＬＥＤ光源の光は、前記隙間を介して視認される上記（１）に記載の窓組立体。
【０００８】
（３）  前記ＬＥＤユニットは、前記窓組立体の前記隙間に臨む縁部に設置されている上記（１）または（２）に記載の窓組立体。
【０００９】
（４）  前記ＬＥＤユニットは、前記ＬＥＤ光源を複数有し、該複数のＬＥＤ光源が前記窓組立体の前記隙間に臨む縁部に沿って連設されている上記（１）または（２）に記載の窓組立体。
【００１０】
（５）  前記隙間は、前記窓部の縁部に沿って設けられている上記（１）ないし（４）のいずれかに記載の窓組立体。
【００１１】
（６）  前記窓組立体は、前記開口部に設置され、前記窓部を支持する取付枠を有する上記（１）ないし（５）のいずれかに記載の窓組立体。
【００１２】
（７）  前記窓組立体は、前記開口部に設置され、前記窓部を開閉自在に支持する取付枠を有する上記（１）ないし（５）のいずれかに記載の窓組立体。
【００１３】
（８）  前記照明装置は、少なくとも前記窓部が閉じているときに、前記ＬＥＤユニットを駆動するよう構成されている上記（７）に記載の窓組立体。
【００１４】
（９）  前記照明装置は、前記窓部が開いているときは、前記ＬＥＤユニットを駆動しないよう構成されている上記（７）または（８）に記載の窓組立体。
【００１５】
（１０）  前記ＬＥＤユニットは、前記窓部が閉じているか否かを示す機能を有する上記（７）ないし（９）のいずれかに記載の窓組立体。
【００１６】
（１１）  前記隙間は、前記窓部に設けられている上記（１）ないし（１０）のいずれかに記載の窓組立体。
【００１７】
（１２）  前記窓組立体は、前記窓部を複数有し、
前記隙間は、隣り合う前記窓部の間に設けられている上記（１）ないし（１０）のいずれかに記載の窓組立体。
【００１８】
（１３）  前記隙間は、前記窓部と前記取付枠との間に設けられている上記（６）ないし（１０）のいずれかに記載の窓組立体。
【００１９】
（１４）  前記隙間は、前記取付枠に設けられている上記（６）ないし（１０）のいずれかに記載の窓組立体。
【００２０】
（１５）  前記ＬＥＤユニットは、前記窓部と、前記取付枠との少なくとも一方に設置されている上記（１３）に記載の窓組立体。
【００２１】
（１６）  前記隙間で構成された換気用流路には、前記ＬＥＤ光源が発する熱を蓄熱する蓄熱部が設けられており、
前記ＬＥＤ光源が発する熱が、前記蓄熱部に蓄熱され、前記蓄熱部から放熱されるよう構成されている上記（１）ないし（１５）のいずれかに記載の窓組立体。
【００２２】
（１７）  前記隙間で構成された換気用流路を延長する流路延長手段を有し、前記ＬＥＤ光源が発する熱により前記延長された換気用流路内の空気が加温されるよう構成されている上記（１）ないし（１６）のいずれかに記載の窓組立体。
【００２３】
（１８）  前記流路延長手段は、前記隙間から所定距離離間し、該隙間の少なくとも一部を覆うカバーを有し、
前記カバーと前記窓組立体との間に、前記延長された換気用流路の少なくとも一部が形成されている上記（１７）に記載の窓組立体。
【００２４】
（１９）  さらに、前記流路延長手段に前記ＬＥＤユニットが設置されている上記（１７）または（１８）に記載の窓組立体。
【００２５】
（２０）  前記流路延長手段は、前記ＬＥＤ光源が発する熱を蓄熱する蓄熱部を兼ねており、
前記ＬＥＤ光源が発する熱が、前記蓄熱部に蓄熱され、前記蓄熱部から放熱されるよう構成されている上記（１７）ないし（１９）のいずれかに記載の窓組立体。
【００２６】
（２１）  前記窓部は、前記建築物の内側と外側とを隔てるものである上記（１）ないし（２０）のいずれかに記載の窓組立体。
【００２７】
（２２）  前記窓部にソーラーパネルが設けられており、該ソーラーパネルを介して得られた電力が前記ＬＥＤユニットに供給されるよう構成されている上記（２１）に記載の窓組立体。
【００２８】
（２３）  前記ＬＥＤユニットは、前記照明装置が作動中か否かを示すパイロットランプとしての機能を有する上記（１）ないし（２２）のいずれかに記載の窓組立体。
【００２９】
（２４）  前記照明装置は、前記ＬＥＤユニットに対して印加する電圧の大小により、加温の程度を設定し得るよう構成されている上記（１）ないし（２３）のいずれかに記載の窓組立体。
【発明の効果】
【００３０】
本発明によれば、窓部を閉じた状態で（窓部が開閉自在のものか、閉じた状態に固定されているものかを否かを問わない）、隙間を介して換気を行なうことができる。そして、換気の際は、ＬＥＤ光源が発する熱により、隙間を介して窓部の外側から内側に流入する冷気（空気）を、その隙間において加温することができ、これにより、新鮮、かつ暖かい空気を建築物内（室内）に導入することができる。すなわち、建築物内への冷気の流入を防止し、建築物内を冷やさずに換気することができ、これにより、例えば、冷気によって、「スースー」したり、「ヒヤッ」とする不快感が解消され、建築物内において快適に活動することができる。
【００３１】
そして、本発明は、窓としての機能および前記加温・換気機能の他にも、種々の機能を有しており、さらに下記の効果が得られる。
【００３２】
すなわち、本発明によれば、ＬＥＤ光源が発する光により、例えば、建築物の内部、外部、窓組立体等が照明される。この照明、特に、建築物の内部や窓組立体の照明により、美的効果や癒し効果（リラクゼーション効果）が得られる。また、前記照明により、防犯効果が得られる。
また、ＬＥＤ光源が発する熱により、窓組立体の結露を防止することができる。
【発明を実施するための最良の形態】
【００３３】
以下、本発明の窓組立体（窓システム）を添付図面に示す好適実施形態に基づいて詳細に説明する。
【００３４】
＜第１実施形態＞
図１は、本発明の窓組立体の第１実施形態を示す正面図である。また、図２は、本発明におけるＬＥＤユニットの構成例を示す斜視図である。また、図３は、本発明におけるＬＥＤ光源の構成例を示す図であり、図３（Ａ）は、平面図、図３（Ｂ）は、正面図、図３（Ｃ）は、断面図である。
【００３５】
なお、説明の都合上、図１において、上側を「上」、下側を「下」、左側を「左」、右側を「右」として説明する。また、図１中の上下方向が鉛直方向、左右方向が水平方向である。
【００３６】
ここで、第１実施形態の窓組立体１は、その取付枠５が、建築物としての図示しない住宅（家屋）の開口部２１０に固定的に設置され、窓部４が、取付枠５に開閉（変位）自在に支持（設置）されている開閉（変位）可能な形態（タイプ）のもの、具体的には、片開き窓である。
【００３７】
図１に示すように、住宅の壁（躯体）２００には、その住宅の内部（所定の居住空間）（一方の空間）と、住宅の外部（他方の空間）とを連通する開口部２１０が形成されている。
【００３８】
窓組立体（窓システム）１は、窓組立体本体２と、複数の照明装置３とを備えている。なお、照明装置３の数は、１つでもよいことは、言うまでもない。
【００３９】
窓組立体本体２は、開口部２１０に設置（固定）されている取付枠（第１の枠部材）５と、取付枠５に対して回動（変位）可能に設置されている窓部４とを備えている。これにより、窓部４が閉じたときに（閉じた状態で）、住宅の内側（内部）と外側（外部）とを隔てる（仕切る）ことができる。よって、窓部４を閉めたとき、不本意な第三者の室内（住宅内）への侵入を防止することができる。以下、窓部４が閉じた状態を「閉状態」といい、窓部４が開いた状態を「開状態」という。
【００４０】
窓部４は、１枚のガラス板で構成された窓ガラス６と、窓ガラス６の外周部を支持（保持）する窓枠（第２の枠部材）７とを有している。この窓部４は、図示例では、正面視で、略四角形をなしている。
【００４１】
窓ガラス６は、図示例では、正面視で、略四角形をなしている。この窓ガラス６としては、例えば、透明ガラス、半透明ガラス、曇ガラスのような不透明に近いガラス等、種々のものを用いることができる。
【００４２】
なお、窓ガラス６としては、１枚のガラス板で構成されたものに限らす、例えば、ペアガラス（図示せず）を用いてもよい。ペアガラスは、例えば、枠状のスペーサと、このスペーサを介して（間隔を隔てて）互いに対向するように設置された１対（２枚）のガラス板とによって構成される。スペーサは、１対のガラス板の間に位置し、１対のガラス板の外周部に固着（固定）されている。これら１対のガラス板と、スペーサとで、ペアガラスの内部に閉じた空間（閉空間）が形成（画成）される。すなわち、ペアガラスの内部は、スペーサによって密閉されている。
また、窓ガラス６に換えて、例えば、樹脂製の板体を用いてもよい。
【００４３】
窓枠７は、窓ガラス６の外形に対応した形状の開口部を有する枠状をなし、図示例では、正面視で、略四角形の枠状をなしている。この窓枠７の構成材料としては、特に限定されないが、例えば、アルミニウムやアルミニウム系合金、木材等が挙げられる。
【００４４】
また、取付枠５は、窓部４（窓枠７）の外形に対応した形状の開口部５３を有する枠状をなし、図示例では、略四角形の枠状をなしている。この取付枠５の構成材料としては、特に限定されないが、例えば、アルミニウムやアルミニウム系合金、木材等が挙げられる。
【００４５】
窓部４（窓枠７）の左側の縁部４１には、その長手方向（鉛直方向）に沿って２つの回動支持部１１が設置されている。各回動支持部１１は、それぞれ、窓部４の左側の縁部４１と取付枠５の左側の縁部５１とを連結し、取付枠５に対して窓部４を回動可能（開閉自在）に支持するものである。これにより、窓部４を回動操作（開閉操作）することができ、よって、窓部４が確実に閉状態と開状態とを採り得る。各回動支持部１１は、それぞれ、例えば、ヒンジ（蝶番）等で構成されている。
【００４６】
また、窓部４（窓枠７）の右側の縁部４１の中央部と、取付枠５の右側の縁部５１の中央部とには、ロック手段１２が設けられており、ロック手段１２により、閉状態を保持することができるようになっている。このロック手段１２は、図示しないロック操作部を有しており、そのロック操作部を操作することで、窓部４が開くのを阻止（防止）するロック状態と、窓部４が開くのを可能にするロック解除状態とを採り得るように構成されている。
【００４７】
なお、窓部４の所定の部位（位置）には、その窓部４を開閉操作するときに把持する把持部が設けられていてもよい。
【００４８】
ここで、窓部４（窓枠７）の寸法は、取付枠５の寸法より小さく設定されており、閉状態で、窓部４と取付枠５との間に、隙間８が形成されるようになっている。すなわち、本実施形態では、隙間８は、窓部４の縁部４１に沿って設けられている。
【００４９】
この隙間８は、閉状態で、住宅の内側と外側（窓部４で隔てられる一方の空間と他方の空間）とを連通させる通気可能な貫通孔（長孔）であり、これにより、窓組立体１は、閉状態で、隙間８を介して換気（吸気、排気）を行なえるようになっている。従って、隙間８により換気用流路が構成される。
【００５０】
隙間８の寸法は、特に限定されず、諸条件に応じて適宜設定されるものであるが、その幅ｃは、１〜５０ｍｍ程度であるのが好ましく、５〜１０ｍｍ程度であるのがより好ましい。
【００５１】
これにより、換気の際、隙間８内の空気、すなわち、隙間８を介して流通する空気をより確実に加温することができる。
【００５２】
なお、隙間８の幅ｃは、図示例では、一定であるが、一定でなくてもよい。また、隙間８の形状（パターン）は、図示のものには限定されない。
【００５３】
また、隙間８を介して換気をより確実に行なえるように、住宅には、例えば、吸気装置、排気装置、吸気・排気装置等の通気装置（換気装置）を設けてもよい。
【００５４】
このような窓組立体本体２の隙間８の近傍には、複数の照明装置３の後述するＬＥＤユニット９０がそれぞれ設置されている。各照明装置３は、それぞれ、そのＬＥＤユニット９０を駆動して（作動させて）、ＬＥＤユニット９０の各ＬＥＤ光源９１が発する光により照明を行なうとともに、各ＬＥＤ光源９１が発する熱により、隙間８内の空気、すなわち、隙間８を介して流通する空気を加温するよう構成されている。各ＬＥＤ光源９１から発せられた光は、隙間８を介して視認される。なお、具体的な構造は、下記の通りである。
【００５５】
窓部４（窓枠７）の隙間８に臨む縁部４１には、長尺状をなす凹部（溝）４２が複数形成されている。具体的には、凹部４２は、窓部４の上側の縁部４１、下側の縁部４１、左側の縁部４１および右側の縁部４１に、それぞれ、１つずつ形成されている。そして、各凹部４２内には、それぞれ、照明装置３の後述するＬＥＤユニット９０が設置（収納）されている。すなわち、各ＬＥＤユニット９０は、それぞれ、縁部４１に沿って配置されており、その光軸９１１の方向は、隙間８側を向いている。
【００５６】
また、取付枠５の隙間８に臨む（窓部４側の）縁部５１には、長尺状をなす凹部（溝）５２が複数形成されている。具体的には、凹部５２は、取付枠５の上側の縁部４１および下側の縁部５１に、それぞれ、１つずつ形成されており、左側の縁部５１および右側の縁部５１に、それぞれ、２つずつ形成されている。そして、各凹部５２内には、それぞれ、照明装置３のＬＥＤユニット９０が設置されている。すなわち、各ＬＥＤユニット９０は、それぞれ、縁部５１に沿って配置されており、その光軸９１１の方向は、隙間８側を向いている。
【００５７】
なお、各ＬＥＤユニット９０の表面側が、それぞれ、光透過性を有する図示しないカバー部材（透明板）により覆われていてもよい。
【００５８】
また、ＬＥＤユニット９０は、窓部４と取付枠５の両方に設けられているが、これに限らず、窓部４と取付枠５とのいずれか一方のみに設けてもてよい。
【００５９】
また、ＬＥＤユニット９０（照明装置３）の数、配置（位置）、姿勢（光軸９１１の方向）は、図示例のものには限定されない。
【００６０】
各照明装置３の構成は、それぞれ、ほぼ同一であるため、以下、そのうちの１つの照明装置３について代表的に説明する。
【００６１】
図１および図２に示すように、照明装置３は、複数の図３に示すＬＥＤ（発光ダイオード）光源９１を、隙間８に臨む縁部（縁部４１、５１）に沿って連設してなるＬＥＤユニット９０を備えている。
【００６２】
このＬＥＤユニット９０としては、図２（Ａ）に示すように、パッケージ化されたもの、図２（Ｂ）に示すように、その表面が絶縁された通電用の導線（ケーブル）等で繋がっているもの等、種々の形態のものを用いることができる。本実施形態では、図３（Ａ）に示す、複数のＬＥＤ光源９１が略直線状に連設され、パッケージ化されて、長尺状をなすＬＥＤユニット９０が用いられている。
【００６３】
ＬＥＤ光源９１は、発光するとともに発熱するものであり、図３に示すように、矩形板状の基盤９２と、基盤９２の一方の面（図３（Ｃ）において上側の面）上に設けられた反射板９３と、ＬＥＤ素子９４と、蛍光体９５と、レンズ９６とを備えている。
【００６４】
基盤９２は、矩形の金属板が多層に積層されて形成されている。また、基盤９２には、プラス電極９７とマイナス電極９８とが、その多層の金属板の間に挟まれて取り付けられている。この場合、プラス電極９７とマイナス電極９８とが短絡（ショート）しないようになっている。また、基盤９２の主材料には、ＬＥＤ素子９４の熱を逃がし易い材料、すなわち、熱伝導率の高い、例えば、アルミニウムやアルミニウム系合金等の金属材料が用いられる。
【００６５】
また、反射板９３は、枠状をなし、基盤９２の外周部に設置されており、その内面において光を反射する。
【００６６】
また、ＬＥＤ素子９４は、反射板９３の内側、すなわち、基盤９２の中央部に設置されている。また、ＬＥＤ素子９４は、その下面にプラス電極９４ａおよびマイナス電極９４ｂを有している。このプラス電極９４ａおよびマイナス電極９４ｂは、それぞれ、基盤９２のプラス電極９７およびマイナス電極９８に接続されている。ＬＥＤ素子９４は、プラス電極９４ａおよびマイナス電極９４ｂを介して低電圧直流電流が供給されることにより点灯（発光）する。
【００６７】
また、蛍光体９５は、ＬＥＤ素子９４を覆うように形成されており、レンズ９６は、反射板９３の内面および蛍光体９５を覆うように形成されている。
【００６８】
なお、ＬＥＤ光源９１の構造は、前述したものには限定されず、種々のものを用いることができる。
【００６９】
この場合、例えば、ＬＥＤ光源９１の外形形状は、直方体に限らず、例えば、円盤状、球状等であってもよい。
【００７０】
また、レンズ９６として、他の形状、特性ものを用いてもよく、また、レンズ９６が省略されていてもよい。
【００７１】
前記照明装置３のＬＥＤユニット９０は、導線により図示しない電源部に接続されており、その電源部から電流（例えば、低電圧直流電流）が供給されると、駆動（作動）し、各ＬＥＤ光源９１がそれぞれ点灯（発光）する。
【００７２】
なお、前記各ＬＥＤ光源９１が発する光（照明光）の色、すなわち、各ＬＥＤ素子９４における発光色は、白色であってもよく、また、例えば、赤色、緑色、青色等の種々のカラー色であってもよい。
【００７３】
また、各ＬＥＤ素子９４における発光色は、同一であってもよく、また、異なっていてもよい（異なる色を任意に組み合わせてもよい）。
【００７４】
また、照明装置３は、閉状態で、ＬＥＤユニット９０を駆動し、ＬＥＤユニット９０の駆動により、各ＬＥＤ光源９１がそれぞれ、発光（点灯）するとともに発熱するよう構成されている。
【００７５】
また、照明装置３は、開状態では、ＬＥＤユニット９０を駆動せず、各ＬＥＤ光源９１がそれぞれ、消灯する（発熱しない）よう構成されている。これにより、消費電力を低減することができる。
【００７６】
なお、照明装置３は、開状態において、閉状態で点灯して（発光して）いた複数のＬＥＤ光源９１のうちの一部を消灯し、残りのＬＥＤ光源９１の点灯を継続するようにＬＥＤユニット９０を駆動するよう構成されていてもよい。これにより、開状態においても後述するＬＥＤ光源９１の発光による各効果が得られる。
【００７７】
このような窓部４の閉状態／開状態に応じた各ＬＥＤ光源９１のＯＮ／ＯＦＦ制御は、例えば、窓部４の開閉状態（窓部４が閉状態／開状態のいずれであるか）の検出を行なう検出手段を設け、その検出手段の検出結果に基づいて行なうことができる。検出手段としては、例えば、所定のスイッチで構成されたセンサ、タッチセンサ、磁気センサ等の各種センサ等を用いて構成することができる。
【００７８】
また、前記ＯＮ／ＯＦＦ制御は、例えば、窓部４の縁部４１に、出没自在に設置されたスイッチにより、照明装置３の図示しない回路に設けられている通電切替部の切り替えを行なうことで実現することもできる。このスイッチは、閉状態で取付枠５の縁部５１に押圧されたとき、照明装置３の通電切替部を各ＬＥＤ光源９１に電力を供給し得るように切り替えて、各ＬＥＤ光源９１に対する電力の供給を可能とする。また、前記スイッチは、開状態で取付枠５の縁部５１の押圧が解除されたとき、照明装置３の通電切替部を、消灯するＬＥＤ光源９１に対する電力の供給を遮断（切断）するように切り替える。なお、開状態において、複数のＬＥＤ光源９１のうちの一部を点灯するよう構成されている場合は、前記スイッチは、その開状態で点灯を継続するよう設定されているＬＥＤ光源９１に対しては、電力の供給を維持するよう構成されている。
【００７９】
また、この窓組立体１では、閉状態で、複数の照明装置３のＬＥＤユニット９０がそれぞれ駆動し、開状態では、複数の照明装置３のＬＥＤユニット９０がそれぞれ駆動しないように構成されている。これにより、消費電力を低減することができる。
【００８０】
しかし、これに限らず、例えば、開状態において、複数の照明装置３のＬＥＤユニット９０のうちの一部のみが駆動するように構成されていてもよい。これにより、開状態においても後述するＬＥＤ光源９１の発光による各効果が得られる。
【００８１】
ここで、窓組立体１の寸法は、特に限定されないが、比較的小さく、すなわち、開状態で、人間が窓組立体１を通過（出入り）できない程度に設定されるのが好ましい。これにより、防犯効果が得られ、開状態においても不本意な第三者の室内（住宅内）への侵入を防止することができる。寸法の具体例は、下記の通りである。
【００８２】
取付枠５の開口部５３の鉛直方向（縦方向）の長さａが水平方向（横方向）の長さｂより長い場合、すなわち、開口部５３の形状が縦長の略長方形の場合は、開口部５３の鉛直方向の長さａは、１０〜２００ｃｍ程度であるのが好ましい。また、開口部５３の水平方向の長さｂは、５〜２０ｃｍ程度であるのが好ましく、１０〜１５ｃｍ程度であるのがより好ましい。
【００８３】
また、開口部５３の水平方向の長さｂが鉛直方向の長さａより長い場合、すなわち、開口部５３の形状が横長の略長方形の場合は、開口部５３の鉛直方向の長さａは、５〜２０ｃｍ程度であるのが好ましく、１０〜１５ｃｍ程度であるのがより好ましい。また、開口部５３の水平方向の長さｂは、１０〜２００ｃｍ程度であるのが好ましい。
【００８４】
また、開口部５３の鉛直方向の長さａと、水平方向の長さｂとが略等しい場合、すなわち、開口部５３の形状が略正方形の場合は、開口部５３の鉛直方向の長さａおよび水平方向の長さｂは、それぞれ、５〜３０ｃｍ程度であるのが好ましく、１０〜２０ｃｍ程度であるのがより好ましい。
【００８５】
次に、窓組立体１の作用（動作）について説明する。前述したように、各照明装置３の構成は、それぞれ、ほぼ同一であるため、以下、照明装置３の作用については、そのうちの１つの照明装置３について代表的に説明する。
【００８６】
窓組立体１の図示しない電源スイッチ（メインスイッチ）がオンすると、窓組立体１が作動する。なお、この窓組立体１は、いつ作動させてもよいが、例えば、冬季や夜間等、気温が低い場合に作動させるのが好ましい。
【００８７】
窓組立体１が作動すると、閉状態の場合は、照明装置３のＬＥＤユニット９０が駆動し、その各ＬＥＤ光源９１がそれぞれ、発光（点灯）するとともに発熱し、一方、開状態の場合は、ＬＥＤユニット９０は駆動せず、その各ＬＥＤ光源９１はそれぞれ、消灯する（発熱しない）。
【００８８】
すなわち、閉状態の場合は、ＬＥＤユニット９０の各ＬＥＤ光源９１が点灯（発光）すると、各ＬＥＤ光源９１から光が発せられる。この光により、隙間８を介して、住宅の内部および外部が照明される。すなわち、住宅の内部（内側）および外部（外側）の両方から隙間８を介して、照明光を見ることができる。この照明、特に、住宅の内部への照明、すなわち、間接照明により、美的効果や癒し効果（リラクゼーション効果）が得られる。一般的に、間接照明は、美的効果や癒し効果があると言われている。
【００８９】
また、住宅の外部への照明により、住宅内に人がいるような感覚を与えることができ、また、住宅の外部において、窓組立体本体２に人が接近すると、その人が明るく照らされ、これらにより、防犯効果が得られる。
【００９０】
また、閉状態で、隙間８を介して換気がなされる。この場合、例えば住宅内に設置された換気装置（図示せず）を作動させて、吸気／排気を行なってもよい。
【００９１】
この換気の際は、各ＬＥＤ光源９１が発する熱により、ＬＥＤ光源９１周辺の空気、すなわち、隙間８を介して住宅の外部から内部（窓部４の外側から内側）に流入する冷気（空気）が、その隙間８において加温され、これにより、新鮮、かつ暖かい空気が住宅の内部（室内）に導入される。このように、住宅内への冷気の流入が防止され、住宅の内部を冷やさずに換気することができ、これにより、例えば、冷気によって、「スースー」したり、「ヒヤッ」とする不快感が解消され、住宅において快適に生活することができる。
【００９２】
また、換気の際、各ＬＥＤ光源９１は、隙間８を通過する空気により冷却され、これによって、各ＬＥＤ光源９１の温度上昇による発光効率の減少を抑制（または防止）することができ、これにより、効率良く照明することができる。また、各ＬＥＤ光源９１が冷却されることで、各ＬＥＤ光源９１の寿命を長くすることができる。
【００９３】
また、照明装置３は、閉状態で、ＬＥＤユニット９０（各ＬＥＤ光源９１のそれぞれ）に対して印加する電圧の大小を変えることができる。これにより、例えば、冬季には、ＬＥＤユニット９０（各ＬＥＤ光源９１のそれぞれ）に対して印加可能な最大電圧を印加して、加温の程度を上げる（高める）ことができ、よって、冷気を十分に加温することができる。また、冬季より暖かい春季や秋季には、ＬＥＤユニット９０（各ＬＥＤ光源９１のそれぞれ）に対して引加する電圧を最大電圧より小さく設定して、加温の程度を抑制することができ、よって、冷気を過剰に加温するのを防止することができる。
【００９４】
このように、照明装置３では、季節に応じて加温の程度を変更するこができ、よって、冷気を過不足なく加温することができる。これにより、住宅においてより快適に生活することができる。
【００９５】
なお、窓組立体１を作動させなくても（電源スイッチをオフにしたままでも）、隙間８を介して換気を行なうことができることは、言うまでもない。
【００９６】
また、各ＬＥＤ光源９１が発する熱により、窓組立体本体２に結露が生じるのを防止することができる。
【００９７】
また、所定のＬＥＤユニット９０は、窓組立体本体２（窓部４）の鉛直方向の下側に位置しており、各ＬＥＤ光源９１で発生した熱により、ＬＥＤ光源９１の近傍の空気、すなわち、窓組立体本体２の下側の空気は、加熱されて上昇し、これにより、窓組立体本体２の内側に生じるコールドドラフトが防止される。
【００９８】
具体的には、コールドドラフト（コールドドラフト現象）は、窓組立体本体２の近傍の室内の空気が、その窓部４を介して冷却されて下降することによって生じるものであるが、各ＬＥＤ光源９１で発生した熱により加熱されて上昇する空気流、すなわち、上昇する熱気（暖気）により、窓組立体本体２の室内側の近傍において、その窓部４を介して冷却されて下降する空気流、すなわち下降する冷気（寒気）が、相殺または緩和され、これにより、コールドドラフトを防止することができる。
【００９９】
また、照明装置３が作動して、ＬＥＤユニット９０を駆動しているときは、各ＬＥＤ光源９１は点灯し、逆に、照明装置３が作動しておらず、ＬＥＤユニット９０を駆動していないときは、各ＬＥＤ光源９１は消灯しているので、ＬＥＤユニット９０（ＬＥＤ光源９１）は、当該照明装置３が作動中か否かを示すパイロットランプとして機能する。これにより、照明装置３が作動中か否かを容易かつ確実に把握することができる。
【０１００】
また、ＬＥＤユニット９０（ＬＥＤ光源９１）は、窓部４が閉じているか否かを示す機能を有している。すなわち、閉状態の場合は、各ＬＥＤ光源９１は点灯し、逆に、開状態の場合は、各ＬＥＤ光源９１は消灯しているので、これにより、窓部４が閉じているか否かを容易かつ確実に把握することができる。よって、例えば冬季に室内を暖房器具で暖めているとき、窓部４が開状態の場合、その開状態を認識して窓部４を閉じて、室内の暖かい状態を維持することができる。
【０１０１】
また、照明装置３は、開状態で、各ＬＥＤ光源９１のそれぞれに対する通電／切電を選択することができるよう構成されていてもよい。これにより、例えば、開状態で、所定の各ＬＥＤ光源９１については、それぞれ点灯し続け、残りの各ＬＥＤ光源９１については、それぞれ消灯させるように設定することができる。そして、例えば、点灯が維持されるＬＥＤ光源９１と、消灯するＬＥＤ光源９１とを、互いに交互に、配置させることもできる。このような構成により、閉状態と閉状態とで照明装置３の照度が変わるため、窓部４が閉じているか否かを把握することができる。
【０１０２】
以上説明したように、この窓組立体１によれば、ＬＥＤ光源９１の発光（照明）により、美的効果や癒し効果（リラクゼーション効果）および防犯効果が得られるとともに、窓部４を閉じた状態で、ＬＥＤ光源９１の発熱により、住宅内を冷やさずに隙間８を介して換気するこができる等、前述した種々の効果が得られる。
【０１０３】
また、照明装置３の光源としてＬＥＤ光源９１を用いており、ＬＥＤ光源９１は、その寸法を容易に小さくすることができるので、窓組立体本体２の隙間８の近傍に、そのＬＥＤ光源９１を容易かつ確実に設置することができる。
【０１０４】
また、ＬＥＤ光源９１の消費電力は、比較的小さいので、照明装置３を連続的に長時間、作動させても安全である。
【０１０５】
また、各照明装置３のＬＥＤユニット９０は、それぞれ、窓組立体本体２の隙間８に臨む縁部である窓部４の縁部４１、取付枠５の縁部５１に、設置されているため、隙間８を通過する冷気を十分かつ確実に加温することができる。
【０１０６】
また、各照明装置３では、それぞれ、複数のＬＥＤ光源９１が、窓部４の縁部４１、取付枠５の縁部５１の長手方向に沿って配列されているため、隙間８を通過する冷気を十分かつ確実に加温することができる。
【０１０７】
なお、本発明では、隙間８で構成された換気用流路に、ＬＥＤ光源９１が発する熱を蓄熱する蓄熱部（放熱部）を設け、この蓄熱部を介してＬＥＤユニット９０が設置されていてもよい。蓄熱部の構成材料としては、例えば、アルミニウムやアルミニウム系合金等の熱伝導性が比較的高い金属材料等が挙げられる。
【０１０８】
この場合は、各ＬＥＤ光源９１で発生した熱は、その蓄熱部に蓄熱（吸熱）され、蓄熱部から放熱される。これにより、各ＬＥＤ光源９１で発生した熱を効率良く放熱することができ、これによって、各ＬＥＤ光源９１の温度上昇による発光効率の減少を抑制（または防止）することができ、これにより、効率良く照明することができる。また、隙間８内の空気をより確実に加温することができる。
【０１０９】
また、本発明では、ＬＥＤユニット９０は、窓部４の縁部４１や取付枠５の縁部５１に限らず、窓組立体本体２（窓組立体１）の隙間８の近傍に設置されていればよい。
【０１１０】
また、本発明では、窓組立体１（窓組立体本体２）を設ける箇所（位置）は、特に限定されない。例えば、窓組立体１は、部屋の窓に限らず、天窓や、扉（ドア、戸）に設けられる窓等であってもよい。
【０１１１】
また、本発明では、窓組立体１は、そのほぼ全体がユニット化されていてもよく、また、ユニット化されていなくてもよい。
【０１１２】
また、本発明では、窓組立体１の方式は、片開き窓には限定されない。開閉可能な窓組立体としては、片開き窓の他、例えば、両開き窓、フランス窓、垂直（鉛直）回転窓、水平回転窓等の所定の軸を中心に回動（回転）するもの、上げ下げ窓、引き違い窓等の所定の方向に移動（スライド）するもの、アコーディオン窓、ルーバー窓（ジャロジー）等であってもよい。
【０１１３】
また、本発明では、窓組立体１は、その窓部４が、直接または取付枠５を介して、住宅（建築物）の開口部２１０に、固定的に設置されている開閉しない形態（タイプ）のものであってもよく、また、その窓枠７が省略されていてもよい。
【０１１４】
また、本発明では、窓ガラス６は、平板状ものに限らず、例えば、湾曲または屈曲していてもよい。
【０１１５】
また、本発明では、窓部４の数は、１つに限らず、複数でもよい。
また、本発明では、ＬＥＤユニット９０のＬＥＤ光源９１の数は、１つでもよい。
【０１１６】
また、本実施形態では、隙間８は、窓部４と取付枠５との間に設けられているが、本発明では、隙間８は、窓組立体本体２のいずれの箇所（部位）に設けられていてもよい。他の箇所としては、例えば、窓部４、取付枠５等が挙げられる。また、窓部４の場合は、窓ガラス６、窓枠７、窓ガラス６と窓枠７との間等が挙げられる。また、これらのうちの２以上を任意に組み合わせることもできる。
【０１１７】
また、本発明では、窓組立体本体２が窓部４を複数有しており、隙間８が、隣り合う窓部４の間に設けられていてもよい。
【０１１８】
＜第２実施形態＞
図４は、本発明の窓組立体の第２実施形態を示す正面図である。
【０１１９】
なお、説明の都合上、図４において、上側を「上」、下側を「下」、左側を「左」、右側を「右」として説明する。また、図４中の上下方向が鉛直方向、左右方向が水平方向である。
【０１２０】
以下、第２実施形態の窓組立体１について、前述した第１実施形態との相違点を中心に説明し、同様の事項については、その説明を省略する。
【０１２１】
図４に示すように、第２実施形態の窓組立体１は、さらに、複数（図示例では、４つ）の照明装置３を備えており、各照明装置３のＬＥＤユニット９０は、それぞれ、窓ガラス６内に設置されている。各ＬＥＤユニット９０は、それぞれ、窓枠７の近傍に位置し、窓ガラス６の縁部に沿って配置されている。窓ガラス６としては、特に限定されないが、例えば、ペアガラス等を用いることができる。
【０１２２】
この窓組立体１によれば、前述した第１実施形態の窓組立体１と同様の効果が得られる。
【０１２３】
そして、この窓組立体１では、窓ガラス６内のＬＥＤユニット９０の各ＬＥＤ光源９１から発せられた光により、窓ガラス６が照明される。これにより、美的効果や癒し効果が得られる。
【０１２４】
また、窓ガラス６内のＬＥＤユニット９０の各ＬＥＤ光源９１が発する熱により、窓部４に結露が生じるのをより確実に防止することができる。
なお、本実施形態は、他の各実施形態にも適用することができる。
【０１２５】
＜第３実施形態＞
図５は、本発明の窓組立体の第３実施形態を示す正面図である。
【０１２６】
なお、説明の都合上、図５において、上側を「上」、下側を「下」、左側を「左」、右側を「右」として説明する。また、図５中の上下方向が鉛直方向、左右方向が水平方向である。
【０１２７】
以下、第３実施形態の窓組立体１について、前述した第１実施形態との相違点を中心に説明し、同様の事項については、その説明を省略する。
【０１２８】
図５に示すように、第３実施形態の窓組立体１では、窓組立体本体２は、開閉可能な複数の窓部（図示例では、２つの窓部４ａ、４ｂ）を有している。
【０１２９】
各窓部４ａ、４ｂは、上下方向（鉛直方向）に沿って並設されており、隙間８が、さらに、その窓部４ａと窓部４ｂとの間（隣り合う窓部の間）に形成されている。窓部４ａ（窓枠７）および窓部４ｂ（窓枠７）のその隙間８に臨む縁部４１には、それぞれ、長尺状をなす凹部（溝）４２が複数形成されており、各凹部４２内に、それぞれ、照明装置３のＬＥＤユニット９０が設置されている。
【０１３０】
この窓組立体１によれば、前述した第１実施形態の窓組立体１と同様の効果が得られる。
【０１３１】
＜第４実施形態＞
図６は、本発明の窓組立体の第４実施形態を示す正面図である。
【０１３２】
なお、説明の都合上、図６において、上側を「上」、下側を「下」、左側を「左」、右側を「右」として説明する。また、図６中の上下方向が鉛直方向、左右方向が水平方向である。
【０１３３】
以下、第４実施形態の窓組立体１について、前述した第１実施形態との相違点を中心に説明し、同様の事項については、その説明を省略する。
【０１３４】
図６に示すように、第３実施形態の窓組立体１では、窓組立体本体２は、開閉可能な複数の窓部（図示例では、２つの窓部４ｃ、４ｄ）を有している。各窓部４ｃ、４ｄは、上下方向（鉛直方向）に沿って並設されている。なお、取付枠５の中央部には、左右方向（水平方向）に沿って配置されたフレーム５４が設けられており、これにより、取付枠５には２つの開口部５３が形成されている。
【０１３５】
窓部４ｃは、上側の開口部５３に位置し、取付枠５に対して回動可能に設置されている。すなわち、窓部４ｃ（窓枠７）の上側の縁部４１の中央部には、回動支持部１１が設置されている。この回動支持部１１は、窓部４ｃの上側の縁部４１と取付枠５の上側の縁部５１とを連結し、取付枠５に対して窓部４ｃを回動可能に支持するものである。
【０１３６】
また、窓部４ｃ（窓枠７）の下側の縁部４１の中央部と、取付枠５のフレーム５４の上側の縁部５４１の中央部とには、ロック手段１２が設けられている。
【０１３７】
一方、窓部４ｄは、下側の開口部５３に位置し、取付枠５に対して移動（スライド）可能に設置されている。すなわち、窓部４ｄ（窓枠７）の上側の縁部４１には、その長手方向（水平方向）に沿って２つの車輪１３が設置されており、また、窓部４ｄの下側の縁部４１には、その長手方向に沿って２つの車輪１３が設置されている。また、取付枠５のフレーム５４の下側の縁部５４２と、取付枠５の下側の縁部５１とには、それぞれ、前記各車輪１３を案内する図示しないレールが形成されている。これにより、窓部４ｄは、前記レールに沿って、左右方向に移動することができる。
【０１３８】
この窓組立体１によれば、前述した第１実施形態の窓組立体１と同様の効果が得られる。
【０１３９】
＜第５実施形態＞
図７は、本発明の窓組立体の第５実施形態を示す正面図である。また、図８は、図７に示す窓組立体の窓部の側面図であり、図８（Ａ）は、閉状態を示す側面図、図８（Ｂ）は、開状態を示す側面図である。
【０１４０】
なお、説明の都合上、図７および図８において、上側を「上」、下側を「下」、左側を「左」、右側を「右」として説明する。また、図７および図８中の上下方向が鉛直方向、左右方向が水平方向である。
【０１４１】
以下、第５実施形態の窓組立体１について、前述した第１実施形態との相違点を中心に説明し、同様の事項については、その説明を省略する。
【０１４２】
図７および図８に示すように、第５実施形態の窓組立体１は、ルーバー窓（ジャロジー）であり、窓部４は、複数の窓ガラス６で構成されている。
【０１４３】
各窓ガラス６は、それぞれ、図示しない回動支持機構により、取付枠５に対して回動可能に支持されている。また、各窓ガラス６は、それぞれ、図示しない操作部を操作することで、連動して、回動するようになっており、図８（Ａ）に示す閉状態と、図８（Ｂ）に示す開状態とを採り得るようになっている。
【０１４４】
また、各窓ガラス６内には、それぞれ、複数のＬＥＤユニット９０が並設されている。この場合、図示例では、各窓ガラス６は、ＬＥＤユニット９０の長手方向が上下方向になるものと、ＬＥＤユニット９０の長手方向が左右方向になるものとが、交互に位置している。
【０１４５】
この窓組立体１によれば、前述した第１実施形態の窓組立体１と同様の効果が得られる。
【０１４６】
そして、この窓組立体１では、各窓ガラス６内にそれぞれ複数のＬＥＤユニット９０が設けられているので、その各ＬＥＤユニット９０の各ＬＥＤ光源９１により、隙間８内の空気を加温することができ、より確実に、隙間８内の空気を暖めることができる。
【０１４７】
また、各窓ガラス６内にそれぞれ複数のＬＥＤユニット９０が設けられているので、開状態の場合にも各ＬＥＤユニット９０を駆動するよう構成することで、開状態で換気を行なう際に、取付枠５の開口部５３を介して住宅の外部から内部（窓部４の外側から内側）に流入する冷気（空気）を加温することができる。
【０１４８】
＜第６実施形態＞
図９は、本発明の窓組立体の第６実施形態を示す正面図である。
【０１４９】
なお、説明の都合上、図９において、上側を「上」、下側を「下」、左側を「左」、右側を「右」として説明する。また、図９中の上下方向が鉛直方向、左右方向が水平方向である。
【０１５０】
以下、第６実施形態の窓組立体１について、前述した第１実施形態との相違点を中心に説明し、同様の事項については、その説明を省略する。
【０１５１】
第６実施形態の窓組立体１は、隙間８の位置が異なっていること以外は、前述した第１実施形態と同様である。
【０１５２】
図９に示すように、第６実施形態の窓組立体１では、隙間８は、窓部４の縁部４１に沿って、取付枠５に設けられている。具体的は、窓部４の縁部４１に沿って、取付枠５の上部、下部、左部および右部に、それぞれ、隙間８が形成されている。
【０１５３】
また、取付枠５の各隙間８に臨む縁部５５には、それぞれ、長尺状をなす凹部（溝）５２が２つずつ形成されている。具体的には、上側の隙間８においては、取付枠５のその隙間８に臨む上側の縁部５５と下側の縁部５５とに、それぞれ凹部５２が形成されている。また、下側の隙間８においては、取付枠５のその隙間８に臨む上側の縁部５５と下側の縁部５５とに、それぞれ凹部５２が形成されている。また、左側の隙間８においては、取付枠５のその隙間８に臨む左側の縁部５５と右側の縁部５５とに、それぞれ凹部５２が形成されている。また、右側の隙間８においては、取付枠５のその隙間８に臨む左側の縁部５５と右側の縁部５５とに、それぞれ凹部５２が形成されている。そして、各凹部５２内には、それぞれ、照明装置３のＬＥＤユニット９０が設置されている。
【０１５４】
このような取付枠は、例えば、内枠（第１の枠）と、内枠の外周側に配置される外枠（第２の枠）とを接合して形成することができる。
【０１５５】
なお、窓組立体本体２に、隙間８を覆う網を設置してもよい。これにより、隙間８からの住宅内への虫等の侵入を防止することができる（防虫効果が得られる）。
また、窓組立体本体２に、隙間８を開閉する開閉手段を設置してもよい。
【０１５６】
この窓組立体１によれば、前述した第１実施形態の窓組立体１と同様の効果が得られる。
なお、本実施形態は、他の各実施形態にも適用することができる。
【０１５７】
＜第７実施形態＞
図１０および図１１は、本発明の窓組立体の第７実施形態における取付枠の一端側（左側）の部分を示す断面図である。
【０１５８】
なお、説明の都合上、図１０および図１１において、上側を「上」、下側を「下」、左側を「左」、右側を「右」として説明する。また、図１０および図１１中の上下方向および左右方向が水平方向、紙面に対して垂直な方向が鉛直方向である。
【０１５９】
以下、第７実施形態の窓組立体１について、前述した第６実施形態との相違点を中心に説明し、同様の事項については、その説明を省略する。
【０１６０】
図１０および図１１に示すように、第７実施形態の窓組立体１では、各ＬＥＤユニット９０は、それぞれ、放熱板（蓄熱部）（放熱部）１４に設置されており、この放熱板１４を介して取付枠５に設置されている。各放熱板１４は、それぞれ、隙間８で構成された換気用流路に配置されている。
【０１６１】
また、ＬＥＤユニット９０と放熱板１４とで構成されたユニットは、取付枠５に対して着脱自在に設置されるようになっている。このため、メンテナンスを容易に行なうことができる。
【０１６２】
各放熱板１４の構成材料としては、それぞれ、例えば、アルミニウムやアルミニウム系合金等の熱伝導性が比較的高い金属材料等が挙げられる。
【０１６３】
この窓組立体１によれば、前述した第６実施形態の窓組立体１と同様の効果が得られる。
【０１６４】
そして、この窓組立体１では、各ＬＥＤ光源９１で発生した熱は、その放熱板１４に蓄熱（吸熱）され、放熱板１４から放熱される。これにより、各ＬＥＤ光源９１で発生した熱を効率良く放熱することができ、これによって、各ＬＥＤ光源９１の温度上昇による発光効率の減少を抑制（または防止）することができ、これにより、効率良く照明することができる。また、隙間８内の空気をより確実に加温することができる。
【０１６５】
また、放熱板１４が目隠しとして機能し、住宅の外部から隙間８を介して内部を覗かれてしまうのを防止することができる。
なお、本実施形態は、他の各実施形態にも適用することができる。
【０１６６】
＜第８実施形態＞
図１２は、本発明の窓組立体の第８実施形態における取付枠の一端側（左側）の部分を示す断面図である。
【０１６７】
なお、説明の都合上、図１２において、上側を「上」、下側を「下」、左側を「左」、右側を「右」として説明する。また、図１２中の上下方向および左右方向が水平方向、紙面に対して垂直な方向が鉛直方向である。
【０１６８】
以下、第８実施形態の窓組立体１について、前述した第７実施形態との相違点を中心に説明し、同様の事項については、その説明を省略する。
【０１６９】
図１２に示すように、第７実施形態の窓組立体１では、各ＬＥＤユニット９０は、それぞれ、放熱板（蓄熱部）（放熱部）１４ａ、１４ｂに設置されており、この放熱板１４ａ、１４ｂを介して取付枠５に設置されている。
【０１７０】
左側の放熱板１４ａは、隙間８から所定距離離間し、隙間８の少なくとも一部を覆う（本実施形態では、隙間８の全体を覆う）カバー（流路延長手段）を兼ねている。
すなわち、放熱板１４ａの下側（内側）の部分は、隙間８から所定距離離間し、隙間８の全体を覆っている。この放熱板１４ａにより、隙間８で構成された換気用流路が延長され、放熱板１４ａと放熱板１４ｂとの間に、前記延長された換気用流路が形成されている（換言すれば、流路延長手段が蓄熱部を兼ねている）。
【０１７１】
換気の際は、各ＬＥＤ光源９１が発する熱により、隙間８で構成された換気用流路内の空気および前記延長された換気用流路内の空気が加温される。
【０１７２】
この窓組立体１によれば、前述した第７実施形態の窓組立体１と同様の効果が得られる。
【０１７３】
そして、この窓組立体１では、換気の際は、各ＬＥＤ光源９１が発する熱により、隙間８で構成された換気用流路内の空気および延長された換気用流路内の空気が加温されるので、より確実に、住宅内に流入する空気を加温することができる。
【０１７４】
また、住宅内に流入する加温された空気が、放熱板１４ａにより、窓部４に沿って流れるようになるので、より確実に、結露やコールドドラフトを防止することができる。
なお、本実施形態は、他の各実施形態にも適用することができる。
【０１７５】
＜第９実施形態＞
図１３は、本発明の窓組立体の第９実施形態における取付枠の一端側（左側）の部分を示す断面図である。
【０１７６】
なお、説明の都合上、図１３において、上側を「上」、下側を「下」、左側を「左」、右側を「右」として説明する。また、図１３中の上下方向および左右方向が水平方向、紙面に対して垂直な方向が鉛直方向である。
【０１７７】
以下、第９実施形態の窓組立体１について、前述した第６実施形態との相違点を中心に説明し、同様の事項については、その説明を省略する。
【０１７８】
図１３に示すように、第９実施形態の窓組立体１では、窓枠７および取付枠５を、それぞれ、例えば、アルミニウムやアルミニウム系合金等の熱伝導性が比較的高い金属材料等で形成する。これにより、取付枠５が蓄熱部（放熱部）として機能する。
【０１７９】
また、取付枠５の上側（外側）および下側（内側）には、それぞれ、隙間８の一部を覆う突出部５６が形成されている。各突出部５６は、それぞれ、目隠しとして機能する。
【０１８０】
この窓組立体１によれば、前述した第６実施形態の窓組立体１と同様の効果が得られる。
【０１８１】
そして、この窓組立体１では、各ＬＥＤ光源９１で発生した熱は、取付枠５に蓄熱（吸熱）され、取付枠５から放熱される。これにより、各ＬＥＤ光源９１で発生した熱を効率良く放熱することができ、これによって、各ＬＥＤ光源９１の温度上昇による発光効率の減少を抑制（または防止）することができ、これにより、効率良く照明することができる。また、隙間８内の空気をより確実に加温することができる。また、取付枠５、窓枠７および窓ガラス６に結露が生じるのをより確実に防止することができる。
【０１８２】
また、突出部５６により、住宅の外部から隙間８を介して内部を覗かれてしまうのを防止することができる。
なお、本実施形態は、他の各実施形態にも適用することができる。
【０１８３】
＜第１０実施形態＞
図１４は、本発明の窓組立体の第１０実施形態における取付枠の一端側（左側）の部分を示す断面図である。
【０１８４】
なお、説明の都合上、図１４において、上側を「上」、下側を「下」、左側を「左」、右側を「右」として説明する。また、図１４中の上下方向および左右方向が水平方向、紙面に対して垂直な方向が鉛直方向である。
【０１８５】
以下、第１０実施形態の窓組立体１について、前述した第９実施形態との相違点を中心に説明し、同様の事項については、その説明を省略する。
【０１８６】
図１４に示すように、第１０実施形態の窓組立体１では、取付枠５に、隙間８で構成された換気用流路を延長する流路延長手段として、隙間８から所定距離離間し、隙間８の全体を覆う１対のカバー１５が設けられている。一方のカバー１５は、隙間８の上側（外側）に位置し、他方のカバー１５は、隙間８の下側（内側）に位置している。また、下側（内側）のカバー１５の右側の端部は、窓部４の窓ガラス６まで延在している。これらのカバー１５と取付枠５との間に、それぞれ、前記延長された換気用流路が形成されている。
【０１８７】
各カバー１５の構成材料としては、それぞれ、例えば、アルミニウムやアルミニウム系合金等の熱伝導性が比較的高い金属材料等が挙げられる。
【０１８８】
換気の際は、各ＬＥＤ光源９１が発する熱により、隙間８で構成された換気用流路内の空気および前記延長された換気用流路内の空気が加温される。
【０１８９】
この窓組立体１によれば、前述した第９実施形態の窓組立体１と同様の効果が得られる。
【０１９０】
そして、この窓組立体１では、換気の際は、各ＬＥＤ光源９１が発する熱により、隙間８で構成された換気用流路内の空気および延長された換気用流路内の空気が加温されるので、より確実に、住宅内に流入する空気を加温することができる。
【０１９１】
また、住宅内に流入する加温された空気が、下側のカバー１５により、窓部４に沿って流れるようになるので、より確実に、結露やコールドドラフトを防止することができる。
【０１９２】
また、各カバー１５が目隠しとして機能し、住宅の外部から隙間８を介して内部を覗かれてしまうのを防止することができる。
なお、本実施形態は、他の各実施形態にも適用することができる。
【０１９３】
＜第１１実施形態＞
図１５は、本発明の窓組立体の第１１実施形態における取付枠の一端側（左側）の部分を示す断面図である。
【０１９４】
なお、説明の都合上、図１５において、上側を「上」、下側を「下」、左側を「左」、右側を「右」として説明する。また、図１５中の上下方向および左右方向が水平方向、紙面に対して垂直な方向が鉛直方向である。
【０１９５】
以下、第１１実施形態の窓組立体１について、前述した第１０実施形態との相違点を中心に説明し、同様の事項については、その説明を省略する。
【０１９６】
図１５に示すように、第１１実施形態の窓組立体１では、さらに、各カバー（流路延長手段）１５に、それぞれ、ＬＥＤユニット９０が設置されている。各カバー１５は、それぞれ、蓄熱部（放熱部）を兼ねている。
【０１９７】
この窓組立体１によれば、前述した第１０実施形態の窓組立体１と同様の効果が得られる。
【０１９８】
そして、この窓組立体１では、各ＬＥＤ光源９１で発生した熱は、取付枠５および各カバー１５に蓄熱（吸熱）され、取付枠５および各カバー１５から放熱される。これにより、各ＬＥＤ光源９１で発生した熱を効率良く放熱することができ、これによって、各ＬＥＤ光源９１の温度上昇による発光効率の減少を抑制（または防止）することができ、これにより、効率良く照明することができる。また、隙間８で構成された換気用流路内の空気および延長された換気用流路内の空気をより確実に加温することができる。また、取付枠５、各カバー１５、窓枠７および窓ガラス６に結露が生じるのをより確実に防止することができる。
【０１９９】
また、各ＬＥＤ光源９１が発する熱により、隙間８で構成された換気用流路内の空気および延長された換気用流路内の空気が加温されるので、より確実に、住宅内に流入する空気を加温することができる。
なお、本実施形態は、他の各実施形態にも適用することができる。
【０２００】
＜第１２実施形態＞
図１６は、本発明の窓組立体の第１２実施形態における取付枠の一端側（左側）の部分を示す断面図である。
【０２０１】
なお、説明の都合上、図１６において、上側を「上」、下側を「下」、左側を「左」、右側を「右」として説明する。また、図１６中の上下方向および左右方向が水平方向、紙面に対して垂直な方向が鉛直方向である。
【０２０２】
以下、第１２実施形態の窓組立体１について、前述した第６実施形態との相違点を中心に説明し、同様の事項については、その説明を省略する。
【０２０３】
図１６に示すように、第１２実施形態の窓組立体１では、窓枠７および取付枠５を、それぞれ、例えば、アルミニウムやアルミニウム系合金等の熱伝導性が比較的高い金属材料等で形成する。これにより、取付枠５が蓄熱部（放熱部）として機能する。
【０２０４】
また、取付枠５の上側（外側）および下側（内側）には、それぞれ、隙間８の一部を覆う突出部５６が形成されている。各突出部５６は、それぞれ、目隠しとして機能する。
【０２０５】
これらの突出部５６は、それぞれ、取付枠５の隙間８に臨む縁部５５に立設され（互いに逆方向の縁部５５に立設され）、その途中で、隙間８側に屈曲している（折れ曲がっている）。すなわ、上側の突出部５６は、取付枠５の隙間８に臨む右側の縁部５５に立設され、下側に向って屈曲し、また、下側の突出部５６は、取付枠５の隙間８に臨む左側の縁部５５に立設され、上側に向って屈曲している。これにより、隙間８内において、換気用流路の方向が反転する部分が２つ（複数）形成される。これによって、換気用流路の長さが比較的長くなり、より確実に、住宅内に流入する空気を加温することができる。
また、ＬＥＤユニット９０は、各突出部５６に、それぞれ設置されている。
【０２０６】
この窓組立体１によれば、前述した第６実施形態の窓組立体１と同様の効果が得られる。
【０２０７】
そして、この窓組立体１では、各ＬＥＤ光源９１で発生した熱は、取付枠５に蓄熱（吸熱）され、取付枠５から放熱される。これにより、各ＬＥＤ光源９１で発生した熱を効率良く放熱することができ、これによって、各ＬＥＤ光源９１の温度上昇による発光効率の減少を抑制（または防止）することができ、これにより、効率良く照明することができる。また、隙間８内の空気をより確実に加温することができる。また、取付枠５、窓枠７および窓ガラス６に結露が生じるのをより確実に防止することができる。
【０２０８】
また、突出部５６により、住宅の外部から隙間８を介して内部を覗かれてしまうのを防止することができる。
なお、本実施形態は、他の各実施形態にも適用することができる。
【０２０９】
＜第１３実施形態＞
図１７は、本発明の窓組立体の第１３実施形態における取付枠の一端側（左側）の部分を示す断面図である。
【０２１０】
なお、説明の都合上、図１７において、上側を「上」、下側を「下」、左側を「左」、右側を「右」として説明する。また、図１７中の上下方向および左右方向が水平方向、紙面に対して垂直な方向が鉛直方向である。
【０２１１】
以下、第１３実施形態の窓組立体１について、前述した第６実施形態との相違点を中心に説明し、同様の事項については、その説明を省略する。
【０２１２】
図１７に示すように、第１３実施形態の窓組立体１では、各ＬＥＤユニット９０は、それぞれ、放熱板（蓄熱部）（放熱部）１４に設置されており、この放熱板１４を介して取付枠５に設置されている。各放熱板１４は、それぞれ、隙間８で構成された換気用流路に配置されている。
【０２１３】
また、ＬＥＤユニット９０と放熱板１４とで構成されたユニットは、取付枠５に対して着脱自在に設置されるようになっている。このため、メンテナンスを容易に行なうことができる。
【０２１４】
各放熱板１４の構成材料としては、それぞれ、例えば、アルミニウムやアルミニウム系合金等の熱伝導性が比較的高い金属材料等が挙げられる。
【０２１５】
２つの放熱板１４の構成は、略同一であるので、以下、一方の放熱板１４について代表的に説明する。
【０２１６】
放熱板１４は、平面視で（参照図面の図９中上側から見たとき）、略コの字状をなしている。ＬＥＤユニット９０は、放熱板１４の凹部内であって、その底部に設置されている。
【０２１７】
また、放熱板１４の上部には、光透過性を有するカバー部材（透明板）１６が設置されており、ＬＥＤユニット９０は、そのカバー部材１６により覆われている。カバー部材１６の構成材料としては、例えば、各種樹脂や各種ガラス等が挙げられる。
【０２１８】
ここで、一方の放熱板１４は、取付枠５の隙間８に臨む左側の縁部５５の上側（外側）に設置され、また、他方の放熱板１４は、取付枠５の隙間８に臨む右側の縁部５５の下側（下側）に設置されている。これにより、隙間８内において、換気用流路が略直角に屈曲する（折れ曲がる）部分が２つ（複数）形成される。すなわち、換気用流路の形状は、平面視で、クランク状をなしている。これによって、換気用流路の長さが比較的長くなり、より確実に、住宅内に流入する空気を加温することができる。
【０２１９】
この窓組立体１によれば、前述した第６実施形態の窓組立体１と同様の効果が得られる。
【０２２０】
そして、この窓組立体１では、各ＬＥＤ光源９１で発生した熱は、その放熱板１４に蓄熱（吸熱）され、放熱板１４から放熱される。これにより、各ＬＥＤ光源９１で発生した熱を効率良く放熱することができ、これによって、各ＬＥＤ光源９１の温度上昇による発光効率の減少を抑制（または防止）することができ、これにより、効率良く照明することができる。また、隙間８内の空気をより確実に加温することができる。
【０２２１】
また、放熱板１４が目隠しとして機能し、住宅の外部から隙間８を介して内部を覗かれてしまうのを防止することができる。
なお、本実施形態は、他の各実施形態にも適用することができる。
【０２２２】
＜第１４実施形態＞
図１８は、本発明の窓組立体の第１４実施形態における取付枠の一端側（左側）の部分を示す断面図である。
【０２２３】
なお、説明の都合上、図１８において、上側を「上」、下側を「下」、左側を「左」、右側を「右」として説明する。また、図１８中の上下方向および左右方向が水平方向、紙面に対して垂直な方向が鉛直方向である。
【０２２４】
以下、第１４実施形態の窓組立体１について、前述した第６実施形態との相違点を中心に説明し、同様の事項については、その説明を省略する。
【０２２５】
図１８に示すように、第１４実施形態の窓組立体１では、各ＬＥＤユニット９０は、それぞれ、共通の放熱板（蓄熱部）（放熱部）１４に設置されており、この放熱板１４を介して取付枠５に設置されている。放熱板１４は、隙間８で構成された換気用流路に配置されている。
【０２２６】
また、２つのＬＥＤユニット９０と放熱板１４とで構成されたユニットは、取付枠５に対して着脱自在に設置されるようになっている。このため、メンテナンスを容易に行なうことができる。
【０２２７】
放熱板１４の構成材料としては、それぞれ、例えば、アルミニウムやアルミニウム系合金等の熱伝導性が比較的高い金属材料等が挙げられる。
【０２２８】
ここで、放熱板１４は、隙間８の中央部、すなわ、取付枠５の隙間８に臨む２つの縁部５５の間に、その縁部５５に沿って配置されており、これにより、隙間８が２分割され、換気用流路が２つ形成されている。
【０２２９】
２つのＬＥＤユニット９０は、放熱板１４の逆の面に設置されている。すなわち、一方のＬＥＤユニット９０は、放熱板１４の左側（一方）の面に設置され、また、他方のＬＥＤユニット９０は、放熱板１４の右側（他方）の面に設置されている。
【０２３０】
この窓組立体１によれば、前述した第６実施形態の窓組立体１と同様の効果が得られる。
【０２３１】
そして、この窓組立体１では、各ＬＥＤ光源９１で発生した熱は、その放熱板１４に蓄熱（吸熱）され、放熱板１４から放熱される。これにより、各ＬＥＤ光源９１で発生した熱を効率良く放熱することができ、これによって、各ＬＥＤ光源９１の温度上昇による発光効率の減少を抑制（または防止）することができ、これにより、効率良く照明することができる。また、隙間８内の空気をより確実に加温することができる。
なお、本実施形態は、他の各実施形態にも適用することができる。
【０２３２】
＜第１５実施形態＞
図１９は、本発明の窓組立体の第１５実施形態における取付枠の一端側（左側）の部分を示す断面図である。
【０２３３】
なお、説明の都合上、図１９において、上側を「上」、下側を「下」、左側を「左」、右側を「右」として説明する。また、図１９中の上下方向および左右方向が水平方向、紙面に対して垂直な方向が鉛直方向である。
【０２３４】
以下、第１５実施形態の窓組立体１について、前述した第１５実施形態との相違点を中心に説明し、同様の事項については、その説明を省略する。
【０２３５】
図１９に示すように、第１５実施形態の窓組立体１では、各ＬＥＤユニット９０は、それぞれ、放熱板（蓄熱部）（放熱部）１４に設置されており、この放熱板１４を介して取付枠５に設置されている。各放熱板１４は、それぞれ、隙間８で構成された換気用流路に配置されている。
【０２３６】
また、ＬＥＤユニット９０と放熱板１４とで構成されたユニットは、取付枠５に対して着脱自在に設置されるようになっている。このため、メンテナンスを容易に行なうことができる。
【０２３７】
各放熱板１４の構成材料としては、それぞれ、例えば、アルミニウムやアルミニウム系合金等の熱伝導性が比較的高い金属材料等が挙げられる。
【０２３８】
２つの放熱板１４の構成は、略同一であるので、以下、一方の放熱板１４について代表的に説明する。
【０２３９】
放熱板１４は、基部１４１と、基部１４１の端部に立設された第１の突出部１４２と、基部１４１の途中（基部１４１の中央部から第１の突出部１４２の反対側に所定距離ずれた位置）に立設された第２の突出部１４３とで構成されている。第１の突出部１４２および第２の突出部１４３は、互いに略同一の方向で、基部１４１に対して略垂直な方向に向って突出している。ＬＥＤユニット９０は、第２の突出部１４３に設置されている。
【０２４０】
これら２つの放熱板１４のうちの一方の放熱板１４は、その第１の突出部１４２が取付枠５の下側（内側）に位置するように、基部１４１において、取付枠５の隙間８に臨む左側の縁部５５に設置されている。また、他方の放熱板１４は、その第１の突出部１４２が取付枠５の上側（外側）に位置するように、基部１４１において、取付枠５の隙間８に臨む右側の縁部５５に設置されている。これにより、下側から、一方の放熱板１４の第１の突出部１４２、他方の放熱板１４の第２の突出部１４３、一方の放熱板１４の第２の突出部１４３、他方の放熱板１４の第１の突出部１４２の順に配置される。これにより、隙間８内において、換気用流路の方向が反転する部分が２つ（複数）形成される。これによって、換気用流路の長さが比較的長くなり、より確実に、住宅内に流入する空気を加温することができる。
【０２４１】
この窓組立体１によれば、前述した第６実施形態の窓組立体１と同様の効果が得られる。
【０２４２】
そして、この窓組立体１では、各ＬＥＤ光源９１で発生した熱は、その放熱板１４に蓄熱（吸熱）され、放熱板１４から放熱される。これにより、各ＬＥＤ光源９１で発生した熱を効率良く放熱することができ、これによって、各ＬＥＤ光源９１の温度上昇による発光効率の減少を抑制（または防止）することができ、これにより、効率良く照明することができる。また、隙間８内の空気をより確実に加温することができる。
【０２４３】
また、放熱板１４が目隠しとして機能し、住宅の外部から隙間８を介して内部を覗かれてしまうのを防止することができる。
なお、本実施形態は、他の各実施形態にも適用することができる。
【０２４４】
＜第１６実施形態＞
以下、第１６実施形態の窓組立体１について、前述した第１実施形態との相違点を中心に説明し、同様の事項については、その説明を省略する。
【０２４５】
第１６実施形態の窓組立体１は、窓部４に設けられたソーラーパネル（太陽電池）と、ソーラーパネルを介して得られた電力（電気エネルギー）を蓄積（充電）する２次電池（充電部）とを有している。ソーラーパネルの受光面は、外側を向いている。
【０２４６】
太陽光がソーラーパネルの受光面に照射されると、そのソーラーパネルで光電変換され（電力が生成され）、生成された電力は２次電池に蓄積される。そして、ＬＥＤユニット９０（ＬＥＤ光源９１）への電力の供給は、その２次電池から行なわれる。これにより、窓組立体１が環境に優しいものとなる。
【０２４７】
なお、窓部４の具体的な構成としては、例えば、下記（１）および（２）の構成が挙げられる。
【０２４８】
（１）窓部４の少なくとも一部（一部または全部）を、外側に受光面を有するソーラーパネルで構成する。この場合、例えば、第１実施形態における窓ガラス６の一部または全部をソーラーパネルに変更する。
【０２４９】
（２）窓部４の窓ガラス６に、外側に受光面を有するソーラーパネルを設置する。この場合、ソーラーパネルは、窓ガラス６の外側の面（外面）に設置されるのが好ましい。
なお、本実施形態は、他の各実施形態にも適用することができる。
【０２５０】
以上、本発明の窓組立体を、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０２５１】
また、本発明は、前記各実施形態のうちの、任意の２以上の構成（特徴）を組み合わせたものであってもよい。
【０２５２】
また、本発明の窓組立体は、それが閉じた状態で建築物の内側と外側とを仕切る（隔てる）ものに限定されず、例えば、建築物の内部において、一方の空間と他方の空間とを仕切る（隔てる）ものであってもよい。
また、本発明の窓組立体の形状は、前記実施形態の形状には限定されない。
【０２５３】
なお、窓部４の形状としては、正面視で、四角形の他、例えば、三角形、５角形等の四角形以外の多角形、円、半円、楕円、半楕円や、これらのうちの２つ以上を組み合わせた形状等が挙げられる。
【０２５４】
また、取付枠５の開口部５３の形状としては、正面視で、四角形の他、例えば、三角形、５角形等の四角形以外の多角形、円、半円、楕円、半楕円や、これらのうちの２つ以上を組み合わせた形状等が挙げられる。
【０２５５】
また、正面視で、窓部４の形状と、取付枠５の開口部５３の形状とは、略同一であってもよく、また、異なっていてもよい。
【０２５６】
また、本発明では、窓部４において、その窓枠７が省略されていてもよい。また、窓部４の材質は、特に限定されず、また、窓部４は、不透明であってもよい。
【０２５７】
また、本発明の窓組立体が設置される建築物としては、住宅に限定されず、例えば、駅やビル等の公共の施設等が挙げられる。
【図面の簡単な説明】
【０２５８】
【図１】本発明の窓組立体の第１実施形態を示す正面図である。
【図２】本発明におけるＬＥＤユニットの構成例を示す斜視図である。
【図３】本発明におけるＬＥＤ光源の構成例を示す図であり、（Ａ）は、平面図、（Ｂ）は、正面図、（Ｃ）は、断面図である。
【図４】本発明の窓組立体の第２実施形態を示す正面図である。
【図５】本発明の窓組立体の第３実施形態を示す正面図である。
【図６】本発明の窓組立体の第４実施形態を示す正面図である。
【図７】本発明の窓組立体の第５実施形態を示す正面図である。
【図８】図７に示す窓組立体の窓部の側面図であり、（Ａ）は、閉状態を示す側面図、（Ｂ）は、開状態を示す側面図である。
【図９】本発明の窓組立体の第６実施形態を示す正面図である。
【図１０】本発明の窓組立体の第７実施形態における取付枠の一端側（左側）の部分を示す断面図である。
【図１１】本発明の窓組立体の第７実施形態における取付枠の一端側（左側）の部分を示す断面図である。
【図１２】本発明の窓組立体の第８実施形態における取付枠の一端側（左側）の部分を示す断面図である。
【図１３】本発明の窓組立体の第９実施形態における取付枠の一端側（左側）の部分を示す断面図である。
【図１４】本発明の窓組立体の第１０実施形態における取付枠の一端側（左側）の部分を示す断面図である。
【図１５】本発明の窓組立体の第１１実施形態における取付枠の一端側（左側）の部分を示す断面図である。
【図１６】本発明の窓組立体の第１２実施形態における取付枠の一端側（左側）の部分を示す断面図である。
【図１７】本発明の窓組立体の第１３実施形態における取付枠の一端側（左側）の部分を示す断面図である。
【図１８】本発明の窓組立体の第１４実施形態における取付枠の一端側（左側）の部分を示す断面図である。
【図１９】本発明の窓組立体の第１５実施形態における取付枠の一端側（左側）の部分を示す断面図である。
【符号の説明】
【０２５９】
１              窓組立体
２              窓組立体本体
３              照明装置
４、４ａ、４ｂ、４ｃ、４ｄ  窓部
４１            縁部
４２            凹部
５              取付枠
５１            縁部
５２            凹部
５３            開口部
５４            フレーム
５４１、５４２  縁部
５５            縁部
５６            突出部
６              窓ガラス
７              窓枠
８              隙間
９０              ＬＥＤユニット
９１              ＬＥＤ光源
９１１            光軸
９２              基盤
９３              反射板
９４              ＬＥＤ素子
９４ａ            プラス電極
９４ｂ            マイナス電極
９５              蛍光体
９６              レンズ
９７              プラス電極
９８              マイナス電極
１１              回動支持部
１２              ロック手段
１３              車輪
１４、１４ａ、１４ｂ  放熱板
１４１            基部
１４２            第１の突出部
１４３            第２の突出部
１５              カバー
１６              カバー部材
２００            壁
２１０            開口部
【図１】
2008014078.tif 000003
【図２】
2008014078.tif 000004
【図３】
2008014078.tif 000005
【図４】
2008014078.tif 000006
【図５】
2008014078.tif 000007
【図６】
2008014078.tif 000008
【図７】
2008014078.tif 000009
【図８】
2008014078.tif 000010
【図９】
2008014078.tif 000011
【図１０】
2008014078.tif 000012
【図１１】
2008014078.tif 000013
【図１２】
2008014078.tif 000014
【図１３】
2008014078.tif 000015
【図１４】
2008014078.tif 000016
【図１５】
2008014078.tif 000017
【図１６】
2008014078.tif 000018
【図１７】
2008014078.tif 000019
【図１８】
2008014078.tif 000020
【図１９】
2008014078.tif 000021